(57)【特許請求の範囲】
【請求項１】
自身が無線通信で使用中のチャネルのレーダーの電波を検出するレーダー検出部と、
前記チャネルを使用する他の無線通信装置から受信した識別信号から前記他の無線通信装置の識別情報を抽出し、前記識別情報の一覧を一覧記憶部に記憶させる識別信号受信部と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更部と
を備え、
前記識別信号受信部は、前記レーダーの前記電波を検出したとき、前記識別信号から前記他の無線通信装置が前記レーダーを検出したかどうかの検出情報を抽出し、前記識別情報と前記検出情報とを対応付けた前記一覧を前記一覧記憶部に記憶させ、
前記チャネル変更部は、前記レーダーの前記電波を検出したとき、前記一覧の前記検出情報によって前記使用中のチャネルを異なるチャネルへ変更するかどうか決定する
ことを特徴とする無線通信装置。
【請求項２】
前記識別信号受信部は、前記識別信号を定期的に受信し、前記識別信号から前記他の無線通信装置が前記レーダーを検出したかどうかの検出情報を抽出し、前記識別情報と前記検出情報を対応付けた前記一覧を前記一覧記憶部に記憶させ、
前記チャネル変更部は、前記一覧の前記検出情報によって前記使用中のチャネルを異なるチャネルへ変更するかどうか決定する
ことを特徴とする請求項１に記載の無線通信装置。
【請求項３】
自身が無線通信で使用中のチャネルのレーダーの電波を検出するレーダー検出部と、
前記チャネルを使用する他の無線通信装置から受信した識別信号から前記他の無線通信装置の識別情報を抽出し、前記識別情報の一覧を一覧記憶部に記憶させる識別信号受信部と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更部と
を備え、
前記識別信号受信部は、前記識別信号を定期的に受信し、前記識別信号から前記他の無線通信装置が前記レーダーを検出したかどうかの検出情報を抽出し、前記識別情報と前記検出情報を対応付けた前記一覧を前記一覧記憶部に記憶させ、
前記チャネル変更部は、前記一覧の前記検出情報によって前記使用中のチャネルを異なるチャネルへ変更するかどうか決定する
ことを特徴とする無線通信装置。
【請求項４】
自身が無線通信で使用中のチャネルのレーダーの電波を検出するレーダー検出部と、
前記チャネルを使用する他の無線通信装置から受信した識別信号から前記他の無線通信装置の識別情報を抽出し、前記識別情報の一覧を一覧記憶部に記憶させる識別信号受信部と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更部と
を備え、
前記識別信号は、送信元の前記他の無線通信装置の前記識別情報と、前記他の無線通信装置が前記レーダーを検出したかどうかの検出情報とを含み、
前記チャネル変更部は、前記一覧に基づいて前記レーダーの存在可能性を計算し、前記存在可能性に基づいて前記使用中のチャネルを異なるチャネルへ変更するかどうか決定し、
前記存在可能性は、前記検出情報が検出ありを示す前記識別情報の各々に対する重み係数を合計して計算される
ことを特徴とする無線通信装置。
【請求項５】
自身が無線通信で使用中のチャネルのレーダーの電波を検出するレーダー検出部と、
前記チャネルを使用する他の無線通信装置から受信した識別信号から前記他の無線通信装置の識別情報を抽出し、前記識別情報の一覧を一覧記憶部に記憶させる識別信号受信部と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更部と
を備え、
前記識別信号は送信元の前記他の無線通信装置の前記識別情報を含み、
前記識別信号受信部は、前記識別信号を受信して前記一覧を更新し、
前記チャネル変更部は、前記一覧に基づいて前記レーダーの存在可能性を計算し、前記存在可能性に基づいて前記使用中のチャネルを異なるチャネルへ変更するかどうか決定し、
前記存在可能性は、前記更新前の前記一覧に存在し、かつ、前記更新後の前記一覧に存在しない前記識別情報の各々に対する重み係数を合計して計算される
ことを特徴とする無線通信装置。
【請求項６】
前記チャネル変更部は、前記存在可能性が所定の第一のしきい値以上のとき、前記使用中のチャネルから異なるチャネルへ変更すると決定する
ことを特徴とする請求項４あるいは請求項５に記載の無線通信装置。
【請求項７】
前記チャネル変更部は、前記存在可能性が所定の第二のしきい値以下のとき、前記使用中のチャネルから異なるチャネルへ変更しないと決定する
ことを特徴とする請求項４から請求項６のいずれかに記載の無線通信装置。
【請求項８】
前記レーダーの前記電波を検出したかどうかの検出情報を前記識別信号に含めて送信する識別信号送信部
を備えることを特徴とする請求項１から請求項７のいずれかに記載の無線通信装置。
【請求項９】
自身が無線通信で使用中のチャネルのレーダーの電波を検出し、
前記レーダーの前記電波を検出したとき、前記チャネルを使用する他の無線通信装置から受信した識別信号から前記他の無線通信装置の識別情報と、前記他の無線通信装置が前記レーダーを検出したかどうかの検出情報とを抽出し、前記識別情報と前記検出情報とを対応付けた、前記識別情報の一覧を一覧記憶部に記憶させ、
前記レーダーの前記電波を検出したとき、前記一覧の前記検出情報に基づいて前記使用中のチャネルを異なるチャネルへ変更するかどうか決定し、前記変更をすると決定した場合、前記使用中のチャネルを異なるチャネルへ変更する
ことを特徴とする無線通信方法。
【請求項１０】
自身が無線通信で使用中のチャネルのレーダーの電波を検出し、
前記チャネルを使用する他の無線通信装置から定期的に受信した識別信号から前記他の無線通信装置の識別情報と、前記他の無線通信装置が前記レーダーを検出したかどうかの検出情報とを抽出し、前記識別情報と前記検出情報とを対応付けた、前記識別情報の一覧を一覧記憶部に記憶させ、
前記レーダーの前記検出の有無と前記一覧の前記検出情報に基づいて前記使用中のチャネルを異なるチャネルへ変更するかどうか決定し、前記変更をすると決定した場合、前記使用中のチャネルを異なるチャネルへ変更する
ことを特徴とする無線通信方法。
【請求項１１】
自身が無線通信で使用中のチャネルのレーダーの電波を検出し、
前記チャネルを使用する他の無線通信装置から受信した識別信号から前記他の無線通信装置の識別情報を抽出し、前記識別情報の一覧を一覧記憶部に記憶させ、
前記レーダーの前記検出の有無と前記一覧に基づいて前記レーダーの存在可能性を計算し、前記存在可能性に基づいて前記使用中のチャネルを異なるチャネルへ変更するかどうか決定し、前記変更をすると決定した場合、前記使用中のチャネルを異なるチャネルへ変更し、
前記識別信号は、送信元の前記他の無線通信装置の前記識別情報と、前記他の無線通信装置が前記レーダーを検出したかどうかの検出情報とを含み、
前記存在可能性は、前記検出情報が検出ありを示す前記識別情報の各々に対する重み係数を合計して計算される
ことを特徴とする無線通信方法。
【請求項１２】
自身が無線通信で使用中のチャネルのレーダーの電波を検出し、
前記チャネルを使用する他の無線通信装置から受信した識別信号から前記他の無線通信装置の識別情報を抽出し、前記識別情報の一覧を一覧記憶部に記憶させ、前記識別信号を受信して前記一覧を更新し、
前記レーダーの前記検出の有無と前記一覧とに基づいて前記レーダーの存在可能性を計算し、前記存在可能性に基づいて前記使用中のチャネルを異なるチャネルへ変更するかどうか決定し、前記変更をすると決定した場合、前記使用中のチャネルを異なるチャネルへ変更し、
前記識別信号は送信元の前記他の無線通信装置の前記識別情報を含み、
前記存在可能性は、前記更新前の前記一覧に存在し、かつ、前記更新後の前記一覧に存在しない前記識別情報の各々に対する重み係数を合計して計算される
ことを特徴とする無線通信方法。
【請求項１３】
コンピュータに、
自身が無線通信で使用中のチャネルのレーダーの電波を検出するレーダー検出機能と、
前記チャネルを使用する他の無線通信装置から受信した識別信号から前記他の無線通信装置の識別情報を抽出し、前記識別情報の一覧を一覧記憶部に記憶させる識別信号受信機能と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更機能と
を実現させ、
前記識別信号受信機能は、前記レーダーの前記電波を検出したとき、前記識別信号から前記他の無線通信装置が前記レーダーを検出したかどうかの検出情報を抽出し、前記識別情報と前記検出情報とを対応付けた前記一覧を前記一覧記憶部に記憶させ、
前記チャネル変更機能は、前記レーダーの前記電波を検出したとき、前記一覧の前記検出情報によって前記使用中のチャネルを異なるチャネルへ変更するかどうか決定する
ことを特徴とする無線通信プログラム。
【請求項１４】
コンピュータに、
自身が無線通信で使用中のチャネルのレーダーの電波を検出するレーダー検出機能と、
前記チャネルを使用する他の無線通信装置から受信した識別信号から前記他の無線通信装置の識別情報を抽出し、前記識別情報の一覧を一覧記憶部に記憶させる識別信号受信機能と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更機能と
を実現させ、
前記識別信号受信機能は、前記識別信号を定期的に受信し、前記識別信号から前記他の無線通信装置が前記レーダーを検出したかどうかの検出情報を抽出し、前記識別情報と前記検出情報を対応付けた前記一覧を前記一覧記憶部に記憶させ、
前記チャネル変更機能は、前記一覧の前記検出情報によって前記使用中のチャネルを異なるチャネルへ変更するかどうか決定する
ことを特徴とする無線通信プログラム。
【請求項１５】
コンピュータに、
自身が無線通信で使用中のチャネルのレーダーの電波を検出するレーダー検出機能と、
前記チャネルを使用する他の無線通信装置から受信した識別信号から前記他の無線通信装置の識別情報を抽出し、前記識別情報の一覧を一覧記憶部に記憶させる識別信号受信機能と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更機能と
を実現させ、
前記識別信号は、送信元の前記他の無線通信装置の前記識別情報と、前記他の無線通信装置が前記レーダーを検出したかどうかの検出情報とを含み、
前記チャネル変更機能は、前記一覧に基づいて前記レーダーの存在可能性を計算し、前記存在可能性に基づいて前記使用中のチャネルを異なるチャネルへ変更するかどうか決定し、
前記存在可能性は、前記検出情報が検出ありを示す前記識別情報の各々に対する重み係数を合計して計算される
ことを特徴とする無線通信プログラム。
【請求項１６】
コンピュータに、
自身が無線通信で使用中のチャネルのレーダーの電波を検出するレーダー検出機能と、
前記チャネルを使用する他の無線通信装置から受信した識別信号から前記他の無線通信装置の識別情報を抽出し、前記識別情報の一覧を一覧記憶部に記憶させる識別信号受信機能と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更機能と
を実現させ、
前記識別信号は送信元の前記他の無線通信装置の前記識別情報を含み、
前記識別信号受信機能は、前記識別信号を受信して前記一覧を更新し、
前記チャネル変更機能は、前記一覧に基づいて前記レーダーの存在可能性を計算し、前記存在可能性に基づいて前記使用中のチャネルを異なるチャネルへ変更するかどうか決定し、
前記存在可能性は、前記更新前の前記一覧に存在し、かつ、前記更新後の前記一覧に存在しない前記識別情報の各々に対する重み係数を合計して計算される
ことを特徴とする無線通信プログラム。
【発明の詳細な説明】
【技術分野】
【０００１】
本発明は、ＤＦＳ（Dynamic Frequency Selection）機能を持つ、無線通信装置、方法およびプログラムに関する。
【背景技術】
【０００２】
無線ＬＡＮ（Local Area Network）の規格の一つであるＩＥＥＥ（Institute of Electrical and Electronics Engineers）８０２．１１ａでは、５ＧＨｚ帯で使用可能なチャネル帯として、Ｊ５２、Ｗ５２、Ｗ５３、Ｗ５６が定められている。このうち、Ｗ５３およびＷ５６は気象レーダー等のレーダーと周波数を共用しているため、このチャネル帯を使用する無線ＬＡＮアクセスポイントには、ＤＦＳ機能の実装が義務付けられている。
【０００３】
ＤＦＳは、レーダーの存在を検出して、自動的に使用チャネルを変更する機能である。ＤＦＳが義務付けられているチャネルを使用する無線ＬＡＮアクセスポイントには、レーダーを検出した場合、１０秒以内に現在使用中のチャネルから移動すること、また、そのチャネルを以後３０分間再使用しないことが求められている。そのため、無線ＬＡＮアクセスポイントがレーダーを検出した場合、使用チャネルを移動することによって、帰属している無線ＬＡＮクライアントの通信が中断されることになる。
【０００４】
この通信中断時間を短縮する方法として、特許文献１には、周囲の無線ＬＡＮアクセスポイントからレーダーを検出したチャネルの情報を受信し、この情報を用いて移動先のチャネルを決定する方法が記載されている。この方法では、周辺のレーダー検出情報に基づいて決定した移動先チャネルへチャネル変更を行うため、移動先で再度レーダー検出動作を行う必要がなくなり、通信中断時間を短縮することが可能になる。
【先行技術文献】
【特許文献】
【０００５】
【特許文献１】特開2007-214713号公報
【発明の概要】
【発明が解決しようとする課題】
【０００６】
しかし、特許文献１に記載の方法では、チャネル変更による通信中断時間を短縮することは可能だが、無線ＬＡＮアクセスポイントのレーダー検出結果が正しいかどうかを判定することはできない。無線ＬＡＮアクセスポイントがレーダーでない電波をレーダーと誤検出してチャネル変更を行うと、図１４に示すように、無線ＬＡＮクライアントの通信は不必要に中断されることになり、ユーザビリティが大幅に低下してしまう。そのため、レーダーの誤検出を低減し、不必要なチャネル変更を低減することが求められる。
【０００７】
また、レーダーの検出率が一定の検出率を上回るよう、規格により規定されているため、実際にはレーダーが存在しているにも関わらず検出できない未検出状態も低減することが求められる。
【０００８】
本発明の目的は、レーダーの存在有無をより正確に推定して、チャネル変更するかどうかを決定することを可能とする、無線通信装置、方法およびプログラムを提供することにある。
【課題を解決するための手段】
【０００９】
上述の問題を解決するために、本発明の無線通信装置は、自身が無線通信で使用中のチャネルのレーダーの電波を検出するレーダー検出部と、前記チャネルを使用する他の無線通信装置から受信した識別信号から前記他の無線通信装置の識別情報を抽出し、前記識別情報の一覧を一覧記憶部に記憶させる識別信号受信部と、前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更部とを備えることを特徴とする。
【００１０】
また、本発明の無線通信方法は、自身が無線通信で使用中のチャネルのレーダーの電波を検出し、前記チャネルを使用する他の無線通信装置から受信した識別信号から前記他の無線通信装置の識別情報を抽出し、前記識別情報の一覧を一覧記憶部に記憶させ、前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更することを特徴とする。
【００１１】
また、本発明の無線通信プログラムは、コンピュータに、自身が無線通信で使用中のチャネルのレーダーの電波を検出するレーダー検出機能と、前記チャネルを使用する他の無線通信装置から受信した識別信号から前記他の無線通信装置の識別情報を抽出し、前記識別情報の一覧を一覧記憶部に記憶させる識別信号受信機能と、前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更機能とを実現させることを特徴とする。
【発明の効果】
【００１２】
本発明の無線通信装置、方法およびプログラムにより、レーダーの存在有無をより正確に推定して、チャネル変更するかどうかを決定することが可能になる。
【図面の簡単な説明】
【００１３】
【図１】本発明の第一から第五の実施形態の無線通信装置の構成例を示す図である。
【図２】本発明の第一の実施形態の無線通信装置の動作例を示す図である。
【図３】本発明の第二の実施形態の識別信号の例を示す図である。
【図４】本発明の第二の実施形態の無線通信装置の動作例を示す図である。
【図５】本発明の第二の実施形態の識別情報の一覧の例を示す図である。
【図６】本発明の第二の実施形態のレーダー検出状態の例を示す図である。
【図７】本発明の第二の実施形態の無線通信装置の動作例を示す図である。
【図８】本発明の第二から第五の実施形態の無線通信装置の構成例を示す図である。
【図９】本発明の第三の実施形態の無線通信装置の動作例を示す図である。
【図１０】本発明の第三の実施形態の無線通信装置の動作例を示す図である。
【図１１】本発明の第四および第五の実施形態の無線通信装置の動作例を示す図である。
【図１２】本発明の第五の実施形態の無線通信装置の動作例を示す図である。
【図１３】本発明の各実施形態のハードウェア構成例を示す図である。
【図１４】チャネル切り替え動作の例を示す図である。
【発明を実施するための形態】
【００１４】
［第一の実施形態］
本発明の第一の実施の形態について説明する。
【００１５】
図１に本実施形態の無線通信装置１０の構成例を示す。
【００１６】
無線通信装置１０は、レーダー検出部１１、識別信号受信部１２、一覧記憶部１３およびチャネル変更部１４により構成される。
【００１７】
レーダー検出部１１は、自身が無線通信で使用中のチャネルのレーダーの電波を検出する部分である。
【００１８】
識別信号受信部１２は、自身が無線通信で使用中のチャネルを使用する他の無線通信装置から受信した識別信号から他の無線通信装置の識別情報を抽出し、他の無線通信装置の識別情報の一覧を一覧記憶部１３に記憶させる部分である。
【００１９】
チャネル変更部１４は、レーダーの検出の有無と識別情報の一覧とに基づいて使用中のチャネルを異なるチャネへ変更するかどうか決定し、変更をすると決定した場合、使用中のチャネルを異なるチャネルへ変更する部分である。
【００２０】
このように無線通信装置１０を構成することによって、レーダーの存在有無をより正確に推定して、チャネル変更するかどうかを決定することが可能になる。
【００２１】
次に、図２に本実施形態の無線通信装置１０の動作の例を示す。
【００２２】
まず、無線通信装置１０のレーダー検出部１１は、自身が使用中のチャネルのレーダーの電波を検出する（ステップＳ１０１）。
【００２３】
また、識別信号受信部１２は、自身が使用中のチャネルを使用する他の無線通信装置から受信した識別信号から他の無線通信装置の識別情報を抽出し、他の無線通信装置の識別情報の一覧を一覧記憶部１３に記憶させる（ステップＳ１０２）。
【００２４】
次に、チャネル変更部１４は、レーダーの検出の有無と識別情報の一覧とに基づいて使用中のチャネルを異なるチャネルへ変更するかどうか決定し、変更をすると決定した場合、使用中のチャネルを異なるチャネルへ変更する（ステップＳ１０３）。
【００２５】
このように無線通信装置１０を動作させることによって、レーダーの存在有無をより正確に推定して、チャネル変更するかどうかを決定することが可能になる。
【００２６】
以上で説明したように、本発明の第一の実施形態では、レーダーの検出の有無と、自身が使用中のチャネルを使用する他の無線通信装置の識別情報の一覧に基づいてチャネル変更するかどうか決定する。これにより、他の無線通信装置の挙動により、レーダー検出結果が正しいかどうかを推定し、チャネル変更するかどうか決定することが可能になる。そのため、レーダーの存在有無をより正確に推定して、チャネル変更するかどうかを決定することが可能になる。
【００２７】
［第二の実施形態］
次に、本発明の第二の実施の形態について説明する。
【００２８】
本実施形態は、他の無線通信装置から受信した識別信号からレーダーを検出したかどうかの検出情報を抽出し、検出情報に基づいてチャネル変更するかどうかを決定する形態である。
【００２９】
本実施形態の無線通信装置は、レーダーを検出した場合に、その検出結果をそのまま採用してチャネル変更を行うのではなく、他の無線通信装置のレーダー検出情報に基づいてチャネル変更するかどうかを決定する。
【００３０】
本実施形態の無線通信装置１０の構成例は図１と同様である。無線通信装置１０は、無線ＬＡＮアクセスポイントに相当する。
【００３１】
レーダー検出部１１は、無線通信装置１０が無線通信で使用中のチャネルのレーダーの電波を検出する部分である。
【００３２】
識別信号受信部１２は、無線通信装置１０が無線通信で使用中のチャネルを使用する他の無線通信装置から識別信号を受信する部分である。識別信号には、識別信号の送信元の無線通信装置の識別情報と、送信元の無線通信装置がレーダーを検出したかどうかの検出情報を含む。識別信号受信部１２は、識別信号を受信して識別情報と検出情報を抽出し、識別信号に含まれる識別情報と検出情報とを対応付けた一覧を、一覧記憶部１３に記憶させる。
【００３３】
図３に識別信号の例を示す。この例は、ＩＥＥＥ８０２．１１のビーコンフレームの例である。ＢＳＳＩＤ（Basic Service Set Identifier）は無線ＬＡＮアクセスポイントとその配下の無線ＬＡＮクライアントから構成されるネットワークの識別子であり、通常は無線ＬＡＮアクセスポイントのＭＡＣ（Media Access Control）アドレスが記載される。そのため、このＢＳＳＩＤを無線通信装置の識別情報として使用することができる。また、図３の例のように、ビーコンフレームのVendor Specific領域等に、ビーコンフレームの送信元の無線通信装置のレーダー検出情報を記述することが可能である。このように、ビーコンフレームに送信元の無線通信装置のレーダー検出情報を記述することで、ビーコンフレーム受信先の無線通信装置に定期的にレーダー検出情報を通知することが可能になる。
【００３４】
チャネル変更部１４は、レーダー検出部１１でのレーダーの検出の有無と、一覧記憶部１３に記憶された一覧とに基づいてチャネル変更するかどうか決定し、チャネル変更をすると決定した場合、チャネルを変更する。
【００３５】
このように無線通信装置１０を構成することによって、レーダーの存在有無をより正確に推定して、チャネル変更するかどうかを決定することが可能になる。
【００３６】
次に、図４に本実施形態の無線通信装置１０の動作の例を示す。
【００３７】
まず、レーダー検出部１１は、無線通信装置１０が無線通信で使用中のチャネルのレーダーの電波を検出する（ステップＳ２０１）。そして、レーダーを検出したとき、識別信号受信部１２では、無線通信装置１０が無線通信で使用中のチャネルを使用する他の無線通信装置から識別信号を受信する。そして、識別信号から識別情報と検出情報を抽出し、識別情報と検出情報とを対応付けた一覧を、一覧記憶部１３に記憶させる（ステップＳ２０２）。
【００３８】
なお、このとき、定期的に送信される識別信号を所定時間受信して一覧を作成しても良いし、識別信号の送信要求を行って受信した識別信号から一覧を作成しても良い。また、他の無線通信装置が識別信号の検出情報を変更するタイミングやチャネル変更を行うタイミングのずれの影響を抑えるため、所定時間待ってから一覧を更新するようにすると良い。
【００３９】
図５に、無線通信装置のレーダー検出状態が図６の場合の、一覧記憶部１３に記憶された一覧の例を示す。図５（Ａ）はレーダー検出前の一覧の例、図５（Ｂ）はレーダー検出後の一覧の例である。無線通信装置Ａ（ＭＡＣアドレス00:AA:AA:AA:AA:AA）、無線通信装置Ｂ（ＭＡＣアドレス00:BB:BB:BB:BB:BB）は、識別信号にレーダーの検出情報を含まない無線通信送信である。無線通信装置Ｃ（ＭＡＣアドレス00:CC:CC:CC:CC:CC）、無線通信装置Ｄ（ＭＡＣアドレス00:DD:DD:DD:DD:DD）、無線通信装置Ｅ（00:EE:EE:EE:EE:EE）は、レーダーの検出情報を識別信号に含めて送信する無線通信装置である。これらの無線通信装置は、レーダーの電波を検出していないときは検出情報を「検出なし」として、検出したときは検出情報を「検出あり」として、識別信号を送信する。また、検出情報を識別信号に含めて送信する無線通信装置は、本実施形態の無線通信装置１０と同様に、他の無線通信装置の挙動に基づいてチャネル変更するかどうか決定する機能を持つものとする。
【００４０】
図６において、無線通信装置ＡからＥは、無線通信装置１０が無線通信で使用中のチャネルを使用中の無線通信装置である。このうち、無線通信装置Ｂ（ＭＡＣアドレス00:BB:BB:BB:BB:BB）は、レーダーの電波を検出し、チャネル変更を行っている。そのため、図５（Ａ）の一覧にはＭＡＣアドレス00:BB:BB:BB:BB:BBが存在し、図５（Ｂ）では存在しなくなっている。このチャネル変更は、規格により、レーダーの電波を検出してから１０秒以内に行うよう定められている。
【００４１】
また、図６において、無線通信装置Ｄ、Ｅはレーダーを検出している。そのため、図５（Ｂ）の一覧では、ＭＡＣアドレスが00:DD:DD:DD:DD:DD、00:EE:EE:EE:EE:EEの無線通信装置の検出情報が「検出あり」に変化している。無線通信装置Ｄ、Ｅは、レーダー検出後、チャネル変更をするかどうか決定し、チャネル変更すると決定した場合にはチャネル変更を行う。
【００４２】
本実施形態では、レーダー検出後に一覧を作成するため、ステップＳ２０２において、図５（Ｂ）の一覧が一覧記憶部１３に記憶されたとする。
【００４３】
次に、チャネル変更部１４では、レーダー検出部１１の検出結果と一覧記憶部１３に記憶された一覧とに基づいてチャネル変更するかどうか決定し、チャネル変更すると決定した場合にチャネルを変更する。本実施形態では、決定方法として、レーダーの存在可能性を計算する方法について説明する。この方法では、まず、レーダーの存在可能性を計算する（ステップＳ２０３）。そして、存在可能性に基づいてチャネル変更するかどうか決定し、チャネル変更をすると決定した場合、チャネルを変更する（ステップＳ２０４）。
【００４４】
レーダーの存在可能性は、たとえば、以下のように計算することが可能である。
【００４５】
同じチャネルを使用する無線通信装置の多くでレーダーを検出している場合、レーダー検出部１１のレーダー検出は正しく、レーダーが存在する可能性が高いと推定することができる。また、逆に、同じチャネルを使用する無線通信装置の多くでレーダーを検出していない場合は、レーダー検出部１１のレーダー検出は誤りであり、レーダーは存在しない可能性が高いと推定することができる。
【００４６】
具体的には、式１のように、レーダー検出情報が「検出あり」を示す無線通信装置の各々に対する重み係数maiを合計して存在可能性Paを計算する方法が考えられる。Naはレーダー検出情報がある無線通信装置の識別情報の数を示す。また、aiは各無線通信装置の検出情報を示し、「検出あり」のとき１、「検出なし」のとき0であるものとする。このようにすると、検出情報が「検出あり」を示す無線通信装置の重み係数maiを合計することになり、無線通信装置の多くでレーダーを検出している場合に存在可能性Paを大きくすることができる。逆に、aiを「検出あり」のとき0、「検出なし」のとき1として、非存在可能性を計算することも可能である。
0006334486.tif 000002
【００４７】
そして、計算した存在可能性Paが所定のしきい値（第一のしきい値）以上のとき、多くの無線通信装置でレーダーを検出しているため、使用中のチャネルにレーダーが存在する可能性が高いと推定し、チャネル変更を行うと決定する。また、存在可能性Paが所定のしきい値（第二のしきい値）以下のとき、多くの無線通信装置はレーダーを検出していないため、レーダーは存在しない可能性が高いと推定し、チャネル変更を行わないと決定する。
【００４８】
ここで、たとえば、式１において、各無線通信装置の重み係数maiをレーダー検出情報がある無線通信装置の数Naの逆数1/Naにする。すると、存在可能性Paは、レーダー検出情報がある無線通信装置の数に対する、レーダー検出情報が「検出あり」を示す無線通信装置の数の割合を計算することになる。そしてその割合が所定の割合（第一のしきい値）以上、たとえば７０％以上であるとき、レーダー検出部１１のレーダー検出は正しく、レーダーが存在すると推定し、チャネル変更すると決定することができる。また、その割合が所定の割合（第二のしきい値）以下、たとえば２０％以下であるとき、レーダー検出部１１のレーダー検出は誤りであり、レーダーは存在しないと推定し、チャネル変更しないと決定することができる。
【００４９】
また、これらの第一のしきい値による条件と第二のしきい値による条件を組み合わせてチャネル変更するかどうかを決定することも可能である。
【００５０】
図７に上述の２つの条件を組み合わせた場合のチャネル変更決定方法の例を示す。まず、計算した存在可能性が第一のしきい値以上である場合（ステップＳ３０１）、チャネル変更すると決定し、チャネルを変更する（ステップＳ３０３）。存在可能性が第一のしきい値未満である場合、存在可能性を第二のしきい値を比較する（ステップＳ３０２）。そして、存在可能性が第二のしきい値以下のとき、チャネル変更しないと決定する。いずれの条件にも該当しないときは、レーダー検出部１１の検出結果を採用して、チャネル変更すると決定し、チャネルを変更する（ステップＳ３０３）。なお、いずれの条件にも該当しないときは、チャネル変更しないと決定することも可能である。
【００５１】
このように無線通信装置１０を動作させることによって、レーダーの存在有無をより正確に推定して、チャネル変更するかどうかを決定することが可能になる。
【００５２】
なお、図８の無線通信装置２０のように、無線通信装置１０に識別信号を送信する識別信号送信部２５を追加し、レーダー検出部１１がレーダーの電波を検出したかどうかの検出情報を識別信号に含めて送信するようにすることも可能である。このとき、レーダー検出部１１がレーダーを検出したとき検出情報を検出ありとし、チャネルを変更したときや、レーダーが存在しないと推定してチャネル変更しないと決定したときに検出情報を検出なしにすると良い。このように、識別信号送信部２５を追加することで、レーダーを検出したことを他の無線通信装置に通知することが可能になる。
【００５３】
以上で説明したように、本発明の第二の実施形態では、第一の実施形態と同様に、レーダーの検出の有無と、自身が使用中のチャネルを使用する他の無線通信装置の識別情報の一覧に基づいてチャネル変更するかどうかを決定する。これにより、他の無線通信装置の挙動により、レーダー検出結果が正しいかどうかを推定し、チャネル変更するかどうか決定することが可能になる。そのため、レーダーの存在有無をより正確に推定して、チャネル変更するかどうかを決定することが可能になる。
【００５４】
また、レーダーの検出が誤りであると推定してチャネル変更しないと決定することが可能になるため、誤検出による不要なチャネル変更を低減することが可能になる。
【００５５】
さらに、他の無線通信装置から受信した識別信号からレーダーの検出情報を抽出することによって、他の無線通信装置の検出情報を容易に得ることが可能になる。
【００５６】
［第三の実施形態］
次に、本発明の第三の実施の形態について説明する。
【００５７】
本実施形態は、レーダー検出前後の他の無線通信装置の挙動によって、自身のレーダー検出結果が正しいかどうか推定する形態である。
【００５８】
本実施形態の無線通信装置は、レーダーを検出した場合に、その検出結果をそのまま採用してチャネル変更を行うのではなく、レーダー検出前後の他の無線通信装置の挙動に基づいてチャネル変更するかどうか決定する。
【００５９】
無線通信装置１０の構成例は図１と同様である。また、図８のように、識別信号送信部２５を備えることも可能である。
【００６０】
本実施形態の識別信号受信部１２では、レーダー検出部１１がレーダーの電波を検出したときだけではなく、検出する前にも定期的に識別信号を受信し、一覧を一覧記憶部１３に記憶させる。識別信号には、識別信号の送信元の無線通信装置の識別情報を含む。
【００６１】
そして、チャネル変更部１４は、レーダー検出部１１がレーダーの電波を検出したとき、検出前（更新前）の一覧と検出後（更新後）の一覧の更新の内容によってチャネル変更するかどうか決定し、チャネル変更すると決定した場合、チャネルを変更する。
【００６２】
このように無線通信装置１０を構成することによって、レーダーの存在有無をより正確に推定し、チャネル変更するかどうか決定することが可能になる。
【００６３】
次に、図９に本実施形態の無線通信装置１０の動作の例を示す。
【００６４】
まず、識別信号受信部１２では、他の無線通信装置から定期的に識別信号を受信し、識別信号送信元の無線通信装置の識別情報の一覧を一覧記憶部１３に記憶させる（ステップＳ４０１）。
【００６５】
そして、レーダー検出部１１がレーダーの電波を検出した後（ステップＳ４０２）、さらに、識別信号を受信して、検出後の識別情報の一覧を一覧記憶部１３に記憶させる（ステップＳ４０３）。
【００６６】
なお、このとき、定期的に送信される識別信号を所定時間受信して一覧を作成しても良いし、識別信号の送信要求を行って受信した識別信号から一覧を作成しても良い。また、他の無線通信装置がチャネル変更を行うタイミングのずれの影響等を抑えるため、レーダー検出後、所定時間待ってから識別信号を受信すると良い。
【００６７】
次に、検出前（更新前）の一覧と検出後（更新後）の一覧の更新内容によってレーダーの存在可能性を計算する（ステップＳ４０４）。そして、存在可能性に基づいてチャネル変更するかどうか決定し、チャネル変更すると決定した場合、チャネルを変更する（ステップＳ４０５）。
【００６８】
レーダーの存在可能性は、たとえば、以下のように計算することが可能である。
【００６９】
たとえば、図５および図６の無線通信装置Ｂ（ＭＡＣアドレス00:BB:BB:BB:BB:BB）のように、レーダー検出前の一覧（図５（Ａ））に存在し、検出後の一覧（図５（Ｂ））には存在しない無線通信装置があるとする。このような場合に、無線通信装置Ｂはレーダーを検出してチャネルを変更した結果、無線通信装置１０が無線通信を行っているチャネルに存在しなくなったと推定することが可能である。ただし、電源オフや設定変更など、レーダー検出以外が原因である可能性もあるため、この推定の正確性は十分ではない。そのため、この推定は、レーダー検出情報を識別信号に含まない無線通信装置についてのみ行い、レーダー検出情報を識別信号に含む無線通信装置についてはその検出情報を信頼してこの推定は行わないようにすると良い。
【００７０】
具体的には、式２のように、レーダー検出前の一覧に存在し、かつ、レーダー検出後の一覧に存在しない無線通信装置の各々に対する重み係数mbiを合計して存在可能性Pbを計算する方法が考えられる。Nbはレーダー検出前の一覧に存在する無線通信装置の識別情報の数を示す。また、biはレーダー検出前の一覧に存在した各無線装置が、検出後の一覧に存在するかどうかを示し、検出後の一覧で消えているとき１、検出後の一覧でも存在するとき0であるものとする。このようにすると、レーダー検出前の一覧に存在し、かつ、レーダー検出後の一覧に存在しない無線通信装置の重み係数mbiを合計することになり、無線通信装置の多くがレーダー検出後に消えている場合に存在可能性Pbを大きくすることができる。逆に、biを検出後の一覧で消えているとき0、検出後の一覧でも存在するとき1として、非存在可能性を計算することも可能である。
0006334486.tif 000003
【００７１】
ここで、たとえば、式２において、各無線通信装置の重み係数mbiをレーダー検出前の一覧に存在する無線通信装置の数Nbの逆数1/Nbにする。なお、ここでの無線通信装置は、レーダー検出情報を送信しない無線通信装置とする。すると、存在可能性Pbは、レーダー検出前の一覧に存在した、レーダー検出情報を送信しない無線通信装置について、レーダー検出後の一覧で存在しなくなっている割合を示すことになる。そして、存在可能性が所定のしきい値以下の場合、レーダーは存在しないと推定されるため、チャネル変更しないと決定する。この推定の正確性は十分ではなく、また、自身はレーダーを検出しているため、この場合の所定のしきい値は、たとえば、０％など、低めに設定すると良い。
【００７２】
また、本実施形態の存在可能性計算方法およびチャネル変更決定方法を第二の実施形態の方法と組み合わせることも可能である。たとえば、図１０のように、図７のステップＳ３０２とステップＳ３０３の間にステップＳ３０４を追加し、第二の実施形態の方法で決定後、本実施形態の方法で決定することなどが考えられる。
【００７３】
また、本実施形態と第二の実施形態の方法の組み合わせ方法としては、本実施形態の存在可能性Pbと第二の実施形態の存在可能性Paから新たな存在可能性Pcを計算し、新たな存在可能性Pcに基づいてチャネル変更するか決定するようにしても良い。たとえば、以下の式３のように、存在可能性Pa、Pbそれぞれに重み係数mpa、mpbを乗算した後加算することで存在可能性Pcを計算し、存在可能性Pcがしきい値以上（たとえば0.3以上）のとき、チャネル変更すると決定する方法が考えられる。
0006334486.tif 000004
【００７４】
より具体的には、たとえば、式４のように存在可能性Pcを計算することも可能である。ここでは、存在可能性Pbの信頼性が低いため、Pbに対する重み係数mpbをPaに対する重み係数mpaより小さくしている。
A：レーダー検出後（更新後）の一覧で検出情報が「検出あり」を示す無線通信装置の数
B：レーダー検出後（更新後）の一覧で検出情報がある無線通信装置の数
C：レーダー検出前（更新前）の一覧に存在し、レーダー検出後（更新後）の一覧に存在しない、検出情報がない無線通信装置の数
D：レーダー検出前（更新前）の一覧で検出情報がない無線通信装置の数
0006334486.tif 000005
【００７５】
このように無線通信装置１０を動作させることによって、レーダーの存在有無をより正確に推定し、チャネル変更するかどうか決定することが可能になる。
【００７６】
以上で説明したように、本発明の第三の実施形態では、第一および第二の実施形態と同様に、レーダーの検出の有無と、自身が使用中のチャネルを使用する他の無線通信装置の識別情報の一覧に基づいてチャネル変更するかどうか決定する。これにより、他の無線通信装置の挙動により、レーダー検出結果が正しいかどうかを推定して、チャネル変更するかどうか決定することが可能になる。そのため、レーダーの存在有無をより正確に推定し、チャネル変更するかどうか決定することが可能になる。
【００７７】
また、レーダーの検出が誤りであることを推定してチャネル変更しないと決定することが可能になるため、誤検出による不要なチャネル変更を低減することが可能になる。
【００７８】
さらに、本実施形態では、レーダー検出情報を送信しない無線通信装置についてもチャネル変更するかどうかの決定に使用することが可能になる。
【００７９】
［第四の実施形態］
次に、本発明の第四の実施の形態について説明する。
【００８０】
本実施形態は、第二の実施形態と同様に、他の無線通信装置から受信した識別信号からレーダーを検出したかどうかの検出情報を抽出し、検出情報に基づいてチャネル変更するかどうかを決定する形態である。第二の実施形態の無線通信装置は、自身がレーダーを検出した場合に、その検出が正しいかどうかを推定し、チャネル変更するかどうかを決定した。これに対し、本実施形態の無線通信装置は、自身がレーダーを検出していない場合に、他の無線通信装置のレーダー検出情報に基づいて、レーダーを検出していないことが正しいかどうかを推定し、チャネル変更するかどうかを決定する。
【００８１】
無線通信装置１０の構成例は図１と同様である。また、図８のように、識別信号送信部２５を備えることも可能である。
【００８２】
レーダー検出部１１は、無線通信装置１０が無線通信で使用中のチャネルのレーダーの電波を検出する部分である。
【００８３】
識別信号受信部１２は、無線通信装置１０が使用中のチャネルを使用する他の無線通信装置から識別信号を受信する部分である。識別信号には、識別信号の送信元の無線通信装置の識別情報と、送信元の無線通信装置がレーダーを検出したかどうかの検出情報を含む。識別信号受信部１２は、識別信号を受信して、受信した識別信号から識別情報と検出情報を抽出し、識別情報と検出情報とを対応付けた一覧を、一覧記憶部１３に記憶させる。
【００８４】
チャネル変更部１４は、レーダー検出部１１でのレーダーの検出の有無と、一覧記憶部１３に記憶された一覧とに基づいてチャネル変更するかどうか決定し、チャネル変更すると決定した場合にチャネル変更をする部分である。
【００８５】
このように無線通信装置１０を構成することによってレーダーの存在有無をより正確に推定し、チャネル変更するかどうかを決定することが可能になる。
【００８６】
次に、図１１に本実施形態の無線通信装置１０の動作の例を示す。
【００８７】
まず、識別信号受信部１２は、識別信号を定期的に受信し、一覧を一覧記憶部１３に記憶させる（ステップＳ５０１）。このとき、識別信号送信元の無線通信装置の識別情報とレーダー検出情報を対応つけた一覧を一覧記憶部１３に記憶させる。
【００８８】
チャネル変更部１４は、レーダーを検出していないとき（ステップＳ５０１）、一覧の検出情報によってレーダーの存在可能性を計算する（ステップＳ５０３）。そして、存在可能性に基づいてチャネル変更するかどうか決定し、チャネル変更をすると決定した場合にチャネルを変更する（ステップＳ５０４）。
【００８９】
レーダーの存在可能性は、以下のように計算することが可能である。
【００９０】
たとえば、レーダー検出部１１はレーダーを検出していないが、レーダー検出情報が「検出あり」を示す無線通信装置が増加したとき、レーダーが存在すると推定することが可能である。このようにすると、レーダー検出部１１が何らかの要因でレーダーを検出できていない場合でも、他の無線通信装置のレーダー検出情報から、レーダーが存在すると推定することが可能になる。
【００９１】
そのため、レーダー検出情報が「検出あり」を示す無線通信装置が多くなると存在可能性が増えるような式、たとえば、第二の実施形態の式１で存在可能性Paを計算する方法が考えられる。
【００９２】
そして、計算した存在可能性Paが所定のしきい値（第一のしきい値）以上のとき、多くの無線通信装置でレーダーを検出しているため、使用中のチャネルにレーダーが存在する可能性が高いと推定し、チャネル変更を行うと決定する。
【００９３】
ここで、たとえば、式１において、各無線通信装置の重み係数maiをレーダー検出情報がある無線通信装置の数Naの逆数1/Naにする。すると、存在可能性Paは、レーダー検出情報がある無線通信装置の数に対する、レーダー検出情報が「検出あり」を示す無線通信装置の数の割合となる。そして、所定のしきい値（第一のしきい値）以上、たとえば７０％以上のとき、チャネル変更すると決定することが考えられる。このとき、本実施形態の第一のしきい値は、第二の実施形態の第一のしきい値と異なる値を設定しても良い。
【００９４】
なお、本実施形態のチャネル変更決定方法は、第二、第三の実施形態の方法と同時に適用可能である。
【００９５】
このように無線通信装置１０を動作させることによって、レーダーの存在有無をより正確に推定し、チャネル変更するかどうかを決定することが可能になる。
【００９６】
以上で説明したように、本発明の第四の実施形態では、第一から第三の実施形態と同様に、レーダーの検出の有無と、自身が使用中のチャネルを使用する他の無線通信装置の識別情報の一覧に基づいてチャネル変更するかどうかを決定する。これにより、他の無線通信装置の挙動により、レーダー検出結果が正しいかどうかを推定して、チャネル変更するかどうかを決定することが可能になる。そのため、レーダーの存在有無をより正確に推定して、チャネル変更するかどうかを決定することが可能になる。
【００９７】
また、自身がレーダーを検出していないときでも、他の無線通信装置のレーダー検出情報により、レーダーが存在すると推定してチャネル変更できる可能性を高めることが可能になる。
【００９８】
さらに、他の無線通信装置から受信した識別信号からレーダーの検出情報を抽出することによって、他の無線通信装置の検出情報を容易に得ることが可能になる。
【００９９】
［第五の実施形態］
次に、本発明の第五の実施の形態について説明する。
【０１００】
本実施形態は、第三の実施形態と同様に、他の無線通信装置の挙動によって、自身のレーダー検出結果が正しいかどうかを推定してチャネル変更するかどうか決定する形態である。
【０１０１】
第三の実施形態の無線通信装置は、自身がレーダーを検出した場合に、その検出が正しいかどうかを推定した。これに対し、本実施形態の無線通信装置は、自身がレーダーを検出していない場合に、他の無線通信装置の挙動に基づいて、レーダーを検出していないことが正しいかどうかを推定してチャネル変更するかどうか決定する。
【０１０２】
無線通信装置１０の構成例は図１と同様である。また、図８のように、識別信号送信部２５を備えることも可能である。
【０１０３】
識別信号受信部１２は、無線通信装置１０が使用中のチャネルを使用する他の無線通信装置から識別信号を受信する部分である。識別信号には、識別信号の送信元の無線通信装置の識別情報を含む。識別信号受信部１２は、識別信号を受信して、識別信号から識別情報を抽出し、識別情報の一覧を一覧記憶部１３に記憶させる。本実施形態の識別信号受信部１２では、定期的に識別信号を受信し、一覧記憶部１３の一覧を更新する。
【０１０４】
チャネル変更部１４は、レーダー検出部１１でのレーダーの検出の有無と、一覧記憶部１３に記憶された一覧とに基づいてチャネル変更するかどうか決定し、チャネル変更すると決定した場合にチャネルを変更する部分である。本実施形態のチャネル変更部１４は、一覧記憶部１３の一覧の更新内容によってチャネル変更するかどうか決定する。
【０１０５】
このように無線通信装置１０を構成することによって、レーダーの存在有無をより正確に推定してチャネル変更するかどうか決定することが可能になる。
【０１０６】
次に、図１１を用いて、本実施形態の無線通信装置１０の動作の例について説明する。
【０１０７】
まず、識別信号受信部１２は、識別信号を定期的に受信し、一覧記憶部１３の一覧を更新する（ステップＳ５０１）。このとき、識別信号送信元の無線通信装置の識別情報の一覧を一覧記憶部１３に記憶させる。
【０１０８】
チャネル変更部１４は、レーダーを検出していないとき（ステップＳ５０１）、一覧の更新内容によってレーダーの存在可能性を計算する（ステップＳ５０３）。そして、存在可能性に基づいてチャネル変更するかどうか決定し、チャネル変更すると決定した場合にチャネルを変更する（ステップＳ５０４）。
【０１０９】
たとえば、レーダー検出部１１はレーダーを検出していないが、レーダー検出情報がない無線通信装置の多くが存在しなくなったとき、レーダーが存在すると推定することが可能である。レーダー検出結果が正しいかどうかを推定する機能を持たない無線通信装置は、レーダーを検出すると、チャネル変更を行う。そのため、存在していた無線通信装置が存在しなくなったとき、その無線通信装置は、レーダーを検出してチャネル変更を行った可能性があると推定することができる。この推定を利用することで、レーダー検出部１１が何らかの要因でレーダーを検出できていない場合でも、他の無線通信装置の挙動から、レーダーが存在すると推定することが可能になる。
【０１１０】
具体的には、第三の実施形態と同様に、式２を用いて存在可能性Pbを計算することが可能である。ただし、第三の実施形態の「検出前」「検出後」は、本実施形態では「更新前」「更新後」に読み替えることとする。
【０１１１】
ここで、たとえば、式２において、各無線通信装置の重み係数mbiを更新前の一覧に存在する無線通信装置の数Nbの逆数1/Nbにする。なお、ここでの無線通信装置は、レーダー検出情報を送信しない無線通信装置とする。すると、存在可能性Pbは、更新前の一覧に存在したレーダー検出情報がない無線通信装置の数に対する、更新後の一覧で存在しなくなっている無線通信装置の数の割合となる。そして、存在可能性Pbが所定のしきい値以上、たとえば１００％以上となっているとき、レーダーが存在すると推定してチャネル変更すると決定することが考えられる。この推定方法は、第三の実施形態でも説明したように正確性が低いため、また、無線通信装置１０はレーダーを検出していない状態であるため、チャネル変更すると決定する条件は厳しく設定することが望ましい。
【０１１２】
また、本実施形態のチャネル変更決定方法を第四の実施形態の方法と組み合わせることも可能である。たとえば、図１２のように、第四の実施形態の方法で決定後（ステップＳ６０１）、本実施形態の方法で決定する（ステップＳ６０２）ことなどが考えられる。
【０１１３】
また、本実施形態と第四の実施形態の方法の組み合わせ方法としては、存在可能性Paと存在可能性Pbを組み合わせた新たな存在可能性Pcを計算するようにしても良い。たとえば、第三の実施形態の式３のように存在可能性Pcを計算し、存在可能性Pcが所定のしきい値以上（たとえば0.7以上）のとき、チャネル変更すると決定する方法が考えられる。より具体的には、たとえば、第三の実施形態の式４のように存在可能性Pcを計算することも可能である。
【０１１４】
なお、本実施形態のチャネル変更決定方法は、第二、第三の実施形態の方法と同時に適用可能である。
【０１１５】
このように無線通信装置１０を動作させることによって、レーダーの存在有無をより正確に推定してチャネル変更するかどうか決定することが可能になる。
【０１１６】
以上で説明したように、本発明の第五の実施形態では、第一から第四の実施形態と同様に、レーダーの検出の有無と、自身が使用中のチャネルを使用する他の無線通信装置の識別情報の一覧に基づいてチャネル変更するかどうか決定する。これにより、他の無線通信装置の挙動により、レーダー検出結果が正しいかどうかを推定してチャネル変更するかどうか決定することが可能になる。そのため、レーダーの存在有無をより正確に推定してチャネル変更するかどうかを決定することが可能になる。
【０１１７】
また、自身がレーダーを検出していないときでも、他の無線通信装置の情報により、レーダーが存在すると推定してチャネル変更できる可能性を高めることが可能になる。
【０１１８】
さらに、本実施形態では、レーダー検出情報を送信しない無線通信装置についてもチャネル変更するかどうかの決定に使用することが可能になる。
【０１１９】
［ハードウェア構成例］
上述した本発明の各実施形態における無線通信装置（１０、２０）を、一つの情報処理装置（コンピュータ）を用いて実現するハードウェア資源の構成例について説明する。なお、無線通信装置（１０、２０）は、物理的または機能的に少なくとも二つの情報処理装置を用いて実現してもよい。また、無線通信装置（１０、２０）は、専用の装置として実現してもよい。また、無線通信装置（１０、２０）の一部の機能のみを情報処理装置を用いて実現しても良い。
【０１２０】
図１３は、本発明の各実施形態の無線通信装置を実現可能な情報処理装置のハードウェア構成例を概略的に示す図である。情報処理装置４０は、通信インタフェース４１、入出力インタフェース４２、演算装置４３、記憶装置４４および不揮発性記憶装置４５を備える。
【０１２１】
通信インタフェース４１は、各実施形態の無線通信装置（１０、２０）が、有線あるいは／および無線で外部装置と通信するための通信手段である。なお、無線通信装置（１０、２０）を、少なくとも二つの情報処理装置を用いて実現する場合、それらの装置の間を通信インタフェース４１経由で相互に通信可能なように接続しても良い。
【０１２２】
入出力ユーザインタフェース４２は、入力デバイスの一例であるキーボードや、出力デバイスとしてのディスプレイ等のマンマシンインタフェースである。
【０１２３】
演算装置４３は、汎用のＣＰＵ（Central Processing Unit）やマイクロプロセッサ等の演算処理装置である。演算装置４３は、たとえば、不揮発性記憶装置４５に記憶された各種プログラムを記憶装置４４に読み出し、読み出したプログラムに従って処理を実行することが可能である。
【０１２４】
記憶装置４４は、演算装置４３から参照可能な、ＲＡＭ（Random Access Memory）等のメモリ装置であり、プログラムや各種データ等を記憶する。記憶装置４４は、揮発性のメモリ装置であっても良い。
【０１２５】
不揮発性記憶装置４５は、たとえばＲＯＭ（Read Only Memory）、フラッシュメモリ、等の、不揮発性の記憶装置であり、各種プログラムやデータ等を記録することが可能である。
【０１２６】
本発明の各実施形態は、たとえば、図１３に例示した情報処理装置４０により無線通信装置（１０、２０）を構成し、この無線通信装置に対して、上記各実施形態において説明した機能を実現可能なプログラムを供給することにより実現してもよい。この場合、無線通信装置に対して供給したプログラムを、演算装置４３が実行することによって、実施形態を実現することが可能である。また、無線通信装置のすべてではなく、一部の機能を情報処理装置４０で構成することも可能である。
【０１２７】
さらに、上記プログラムを外部記憶媒体に記録しておき、無線通信装置の出荷段階、あるいは運用段階等において、適宜上記プログラムが不揮発性記憶装置４５に格納されるよう構成してもよい。なお、この場合、上記プログラムの供給方法は、出荷前の製造段階、あるいは運用段階等において、適当な治具を利用して無線通信装置内にインストールする方法を採用してもよい。また、上記プログラムの供給方法は、インターネット等の通信回線を介して外部からダウンロードする方法等の一般的な手順を採用してもよい。
【０１２８】
なお、上述する各実施の形態は、本発明の好適な実施の形態であり、本発明の要旨を逸脱しない範囲内において種々変更実施が可能である。
【０１２９】
上記の実施形態の一部又は全部は、以下の付記のようにも記載されうるが、以下には限られない。
【０１３０】
（付記１）
自身が無線通信で使用中のチャネルのレーダーの電波を検出するレーダー検出部と、
前記チャネルを使用する他の無線通信装置から受信した識別信号から前記他の無線通信装置の識別情報を抽出し、前記識別情報の一覧を一覧記憶部に記憶させる識別信号受信部と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更部と
を備えることを特徴とする無線通信装置。
【０１３１】
（付記２）
前記識別信号受信部は、前記レーダーの前記電波を検出したとき、前記識別信号から前記他の無線通信装置が前記レーダーを検出したかどうかの検出情報を抽出し、前記識別情報と前記検出情報とを対応付けた前記一覧を前記一覧記憶部に記憶させ、
前記チャネル変更部は、前記レーダーの前記電波を検出したとき、前記一覧の前記検出情報によって前記使用中のチャネルを異なるチャネルへ変更するかどうか決定する
ことを特徴とする付記１に記載の無線通信装置。
【０１３２】
（付記３）
前記識別信号受信部は、前記識別信号を定期的に受信し、前記識別信号から前記他の無線通信装置が前記レーダーを検出したかどうかの検出情報を抽出し、前記識別情報と前記検出情報を対応付けた前記一覧を前記一覧記憶部に記憶させ、
前記チャネル変更部は、前記一覧の前記検出情報によって前記使用中のチャネルを異なるチャネルへ変更するかどうか決定する
ことを特徴とする付記１あるいは付記２に記載の無線通信装置。
【０１３３】
（付記４）
前記チャネル変更部は、前記一覧に基づいて前記レーダーの存在可能性を計算し、前記存在可能性に基づいて前記使用中のチャネルを異なるチャネルへ変更するかどうか決定する
ことを特徴とする付記２あるいは付記３に記載の無線通信装置。
【０１３４】
（付記５）
前記存在可能性は、前記検出情報が検出ありを示す前記識別情報の各々に対する重み係数を合計して計算され、
前記重み係数は、０以上の実数値である
ことを特徴とする付記４に記載の無線通信装置。
【０１３５】
（付記６）
前記重み係数は、前記検出情報がある前記識別情報の数の逆数である
ことを特徴とする付記５に記載の無線通信装置。
【０１３６】
（付記７）
前記識別信号受信部は、前記識別信号を定期的に受信して前記一覧を更新し、
前記チャネル変更部は、前記一覧の前記更新の内容によって前記レーダーの前記存在可能性を計算する
ことを特徴とする付記１から付記６のいずれかに記載の無線通信装置。
【０１３７】
（付記８）
前記チャネル変更部は、前記一覧に基づいて前記レーダーの存在可能性を計算し、前記存在可能性に基づいて前記使用中のチャネルを異なるチャネルへ変更するかどうか決定する
ことを特徴とする付記７に記載の無線通信装置。
【０１３８】
（付記９）
前記存在可能性は、前記更新前の前記一覧に存在し、かつ、前記更新後の前記一覧に存在しない前記識別情報の各々に対する重み係数を合計して計算され、
前記重み係数は、０以上の実数値である
ことを特徴とする付記８に記載の無線通信装置。
【０１３９】
（付記１０）
前記重み係数は、前記更新前の前記一覧に存在した前記識別情報の数の逆数である
ことを特徴とする付記９に記載の無線通信装置。
【０１４０】
（付記１１）
前記チャネル変更部は、二種類以上の前記存在可能性を計算するとき、各々の前記存在可能性に対してさらに重み係数を乗算したものを加算して新たな存在可能性を計算し、前記新たな存在可能性に基づいて前記使用中のチャネルから異なるチャネルへ変更するかどうかを決定する
ことを特徴とする付記４から付記６、付記８から付記１０のいずれかに記載の無線通信装置。
【０１４１】
（付記１２）
前記チャネル変更部は、前記存在可能性が所定の第一のしきい値以上のとき、前記使用中のチャネルから異なるチャネルへ変更すると決定する
ことを特徴とする付記４から付記６、付記８から付記１１のいずれかに記載の無線通信装置。
【０１４２】
（付記１３）
前記チャネル変更部は、前記存在可能性が所定の第二のしきい値以下のとき、前記使用中のチャネルから異なるチャネルへ変更しないと決定する
ことを特徴とする付記４から付記６、付記８から付記１２のいずれかに記載の無線通信装置。
【０１４３】
（付記１４）
前記レーダーの前記電波を検出したかどうかの検出情報を前記識別信号に含めて送信する識別信号送信部
を備えることを特徴とする付記１から付記１３のいずれかに記載の無線通信装置。
【０１４４】
（付記１５）
前記識別信号送信部は、前記使用中のチャネルを異なるチャネルへ変更しないと決定したとき、前記検出情報を検出なしとして前記識別信号を送信する
ことを特徴とする付記１４に記載の無線通信装置。
【０１４５】
（付記１６）
前記識別信号はビーコン信号である
ことを特徴とする付記１から付記１５のいずれかに記載の無線通信装置。
【０１４６】
（付記１７）
自身が無線通信で使用中のチャネルのレーダーの電波を検出し、前記チャネルを使用する他の無線通信装置から受信した識別信号から前記他の無線通信装置の識別情報を抽出し、前記識別情報の一覧を一覧記憶部に記憶させ、前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更する
ことを特徴とする無線通信方法。
【０１４７】
（付記１８）
前記レーダーの前記電波を検出したとき、前記識別信号から前記他の無線通信装置が前記レーダーを検出したかどうかの検出情報を抽出し、前記識別情報と前記検出情報とを対応付けた前記一覧を前記一覧記憶部に記憶させ、前記レーダーの前記電波を検出したとき、前記一覧の前記検出情報によって前記使用中のチャネルを異なるチャネルへ変更するかどうか決定する
ことを特徴とする付記１７に記載の無線通信方法。
【０１４８】
（付記１９）
前記識別信号を定期的に受信し、前記識別信号から前記他の無線通信装置が前記レーダーを検出したかどうかの検出情報を抽出し、前記識別情報と前記検出情報を対応付けた前記一覧を前記一覧記憶部に記憶させ、前記一覧の前記検出情報によって前記使用中のチャネルを異なるチャネルへ変更するかどうか決定する
ことを特徴とする付記１７あるいは付記１８に記載の無線通信方法。
【０１４９】
（付記２０）
前記一覧に基づいて前記レーダーの存在可能性を計算し、前記存在可能性に基づいて前記使用中のチャネルを異なるチャネルへ変更するかどうか決定する
ことを特徴とする付記１８あるいは付記１９に記載の無線通信方法。
【０１５０】
（付記２１）
前記存在可能性は、前記検出情報が検出ありを示す前記識別情報の各々に対する重み係数を合計して計算され、
前記重み係数は、０以上の実数値である
ことを特徴とする付記２０に記載の無線通信方法。
【０１５１】
（付記２２）
前記重み係数は、前記検出情報がある前記識別情報の数の逆数である
ことを特徴とする付記２１に記載の無線通信方法。
【０１５２】
（付記２３）
前記識別信号を定期的に受信して前記一覧を更新し、前記一覧の前記更新の内容によって前記使用中のチャネルを異なるチャネルへ変更するかどうか決定する
ことを特徴とする付記１７から付記２２のいずれかに記載の無線通信方法。
【０１５３】
（付記２４）
前記一覧に基づいて前記レーダーの存在可能性を計算し、前記存在可能性に基づいて前記使用中のチャネルを異なるチャネルへ変更するかどうか決定する
ことを特徴とする付記２３に記載の無線通信方法。
【０１５４】
（付記２５）
前記存在可能性は、前記更新前の前記一覧に存在し、かつ、前記更新後の前記一覧に存在しない前記識別情報の各々に対する重み係数を合計して計算され、
前記重み係数は、０以上の実数値である
ことを特徴とする付記２４に記載の無線通信方法。
【０１５５】
（付記２６）
前記重み係数は、前記更新前の前記一覧に存在した前記識別情報の数の逆数である
ことを特徴とする付記２５に記載の無線通信方法。
【０１５６】
（付記２７）
二種類以上の前記存在可能性を計算するとき、各々の前記存在可能性に対してさらに重み係数を乗算したものを加算して新たな存在可能性を計算し、前記新たな存在可能性に基づいて前記使用中のチャネルから異なるチャネルへ変更するかどうかを決定する
ことを特徴とする付記２０から付記２２、付記２４から付記２６のいずれかに記載の無線通信方法。
【０１５７】
（付記２８）
前記存在可能性が所定の第一のしきい値以上のとき、前記使用中のチャネルから異なるチャネルへ変更すると決定する
ことを特徴とする付記２０から付記２２、付記２４から付記２７のいずれかに記載の無線通信方法。
【０１５８】
（付記２９）
前記存在可能性が所定の第二のしきい値以下のとき、前記使用中のチャネルから異なるチャネルへ変更しないと決定する
ことを特徴とする付記２０から付記２２、付記２４から付記２８のいずれかに記載の無線通信方法。
【０１５９】
（付記３０）
前記レーダーの前記電波を検出したかどうかの検出情報を前記識別信号に含めて送信する
ことを特徴とする付記１７から付記２９のいずれかに記載の無線通信方法。
【０１６０】
（付記３１）
前記使用中のチャネルを異なるチャネルへ変更しないと決定したとき、前記検出情報を検出なしとして前記識別信号を送信する
ことを特徴とする付記３０に記載の無線通信方法。
【０１６１】
（付記３２）
前記識別信号はビーコン信号である
ことを特徴とする付記１７から付記３１のいずれかに記載の無線通信方法。
【０１６２】
（付記３３）
コンピュータに、
自身が無線通信で使用中のチャネルのレーダーの電波を検出するレーダー検出機能と、
前記チャネルを使用する他の無線通信装置から受信した識別信号から前記他の無線通信装置の識別情報を抽出し、前記識別情報の一覧を一覧記憶部に記憶させる識別信号受信機能と、
前記レーダーの前記検出の有無と前記一覧とに基づいて前記使用中のチャネルを異なるチャネルへ変更するかどうか決定し、前記変更をすると決定した場合、前記使用中のチャネルを異なるチャネルへ変更するチャネル変更機能と
を実現させることを特徴とする無線通信プログラム。
【０１６３】
（付記３４）
前記識別信号受信機能は、前記レーダーの前記電波を検出したとき、前記識別信号から前記他の無線通信装置が前記レーダーを検出したかどうかの検出情報を抽出し、前記識別情報と前記検出情報とを対応付けた前記一覧を前記一覧記憶部に記憶させ、
前記チャネル変更機能は、前記レーダーの前記電波を検出したとき、前記一覧の前記検出情報によって前記使用中のチャネルを異なるチャネルへ変更するかどうか決定する
ことを特徴とする付記３３に記載の無線通信プログラム。
【０１６４】
（付記３５）
前記識別信号受信機能は、前記識別信号を定期的に受信し、前記識別信号から前記他の無線通信装置が前記レーダーを検出したかどうかの検出情報を抽出し、前記識別情報と前記検出情報を対応付けた前記一覧を前記一覧記憶部に記憶させ、
前記チャネル変更機能は、前記一覧の前記検出情報によって前記使用中のチャネルを異なるチャネルへ変更するかどうか決定する
ことを特徴とする付記３３あるいは付記３４に記載の無線通信プログラム。
【０１６５】
（付記３６）
前記チャネル変更機能は、前記一覧に基づいて前記レーダーの存在可能性を計算し、前記存在可能性に基づいて前記使用中のチャネルを異なるチャネルへ変更するかどうか決定する
ことを特徴とする付記３４あるいは付記３５に記載の無線通信プログラム。
【０１６６】
（付記３７）
前記存在可能性は、前記検出情報が検出ありを示す前記識別情報の各々に対する重み係数を合計して計算され、
前記重み係数は、０以上の実数値である
ことを特徴とする付記３６に記載の無線通信プログラム。
【０１６７】
（付記３８）
前記重み係数は、前記検出情報がある前記識別情報の数の逆数である
ことを特徴とする付記３７に記載の無線通信プログラム。
【０１６８】
（付記３９）
前記識別信号受信機能は、前記識別信号を定期的に受信して前記一覧を更新し、
前記チャネル変更機能は、前記一覧の前記更新の内容によって前記使用中のチャネルを異なるチャネルへ変更するかどうか決定する
ことを特徴とする付記３３から付記３８のいずれかに記載の無線通信プログラム。
【０１６９】
（付記４０）
前記チャネル変更機能は、前記一覧に基づいて前記レーダーの存在可能性を計算し、前記存在可能性に基づいて前記使用中のチャネルを異なるチャネルへ変更するかどうか決定する
ことを特徴とする付記３９に記載の無線通信プログラム。
【０１７０】
（付記４１）
前記存在可能性は、前記更新前の前記一覧に存在し、かつ、前記更新後の前記一覧に存在しない前記識別情報の各々に対する重み係数を合計して計算され、
前記重み係数は、０以上の実数値である
ことを特徴とする付記４０に記載の無線通信プログラム。
【０１７１】
（付記４２）
前記重み係数は、前記更新前の前記一覧に存在した前記識別情報の数の逆数である
ことを特徴とする付記４１に記載の無線通信プログラム。
【０１７２】
（付記４３）
前記チャネル変更機能は、二種類以上の前記存在可能性を計算するとき、各々の前記存在可能性に対してさらに重み係数を乗算したものを加算して新たな存在可能性を計算し、前記新たな存在可能性に基づいて前記使用中のチャネルから異なるチャネルへ変更するかどうかを決定する
ことを特徴とする付記３６から付記３８、付記４０から付記４２のいずれかに記載の無線通信プログラム。
【０１７３】
（付記４４）
前記チャネル変更機能は、前記存在可能性が所定の第一のしきい値以上のとき、前記使用中のチャネルから異なるチャネルへ変更すると決定する
ことを特徴とする付記３６から付記３８、付記４０から付記４３のいずれかに記載の無線通信プログラム。
【０１７４】
（付記４５）
前記チャネル変更機能は、前記存在可能性が所定の第二のしきい値以下のとき、前記使用中のチャネルから異なるチャネルへ変更しないと決定する
ことを特徴とする付記３６から付記３８、付記４０から付記４４のいずれかに記載の無線通信プログラム。
【０１７５】
（付記４６）
コンピュータに、
前記レーダーの前記電波を検出したかどうかの検出情報を前記識別信号に含めて送信する識別信号送信機能
を実現させることを特徴とする付記３３から付記４５のいずれかに記載の無線通信プログラム。
【０１７６】
（付記４７）
前記識別信号送信機能は、前記使用中のチャネルを異なるチャネルへ変更しないと決定したとき、前記検出情報を検出なしとして前記識別信号を送信する
ことを特徴とする付記４６に記載の無線通信プログラム。
【０１７７】
（付記４８）
前記識別信号はビーコン信号である
ことを特徴とする付記３３から付記４７のいずれかに記載の無線通信プログラム。
【符号の説明】
【０１７８】
１０、２０    無線通信装置
１１    レーダー検出部
１２    識別信号受信部
１３    一覧記憶部
１４    チャネル変更部
２５    識別信号送信部
４０    情報処理装置
【図１】
0006334486.tif 000006
【図２】
0006334486.tif 000007
【図３】
0006334486.tif 000008
【図４】
0006334486.tif 000009
【図５】
0006334486.tif 000010
【図６】
0006334486.tif 000011
【図７】
0006334486.tif 000012
【図８】
0006334486.tif 000013
【図９】
0006334486.tif 000014
【図１０】
0006334486.tif 000015
【図１１】
0006334486.tif 000016
【図１２】
0006334486.tif 000017
【図１３】
0006334486.tif 000018
【図１４】
0006334486.tif 000019